(57)【要約】【課題】着用者の身体に対するフィット性に優れた使い捨て吸収性パッドの提供。【解決手段】吸収性パッドは、縦軸１１と、横軸１２と、縦軸１１の方向に並ぶ前部域１５ａおよび後部域１５ｂを有する吸収性繊維構造体１０からなり、前部域１５ａの可撓性が後部域１５ｂのそれよりも高い。【選択図】図１
2006095156.tif 000002
【特許請求の範囲】
【請求項１】
縦軸と、横軸と、体液を吸収する第一面と、前記第一面の反対側の第二面と、前記縦軸の方向に並ぶ前部域および後部域を有する吸収性繊維構造体からなり、前記前部域の可撓性が前記後部域のそれよりも高い吸収性パッド。
【請求項２】
前記縦軸に沿って延びる第一可撓軸と、前記第一可撓軸から前記横軸の方向両側へ離間して前記縦軸の方向へ延びる一対の第二および第三可撓軸とが前記前部域に独占的に位置している請求項１記載の吸収性パッド。
【請求項３】
前記一対の第二および第三の可撓軸が、前記第一可撓軸とほぼ並行である請求項２記載の吸収性パッド。
【請求項４】
前記一対の第二および第三可撓軸が、前記第一可撓軸に向かって凸となる弧を描く請求項２に記載の吸収性パッド。
【請求項５】
前記第一可撓軸が貫通条孔であり、かつ、前記第二および第三可撓軸が条溝である請求項２〜４のいずれかに記載の吸収性パッド。
【請求項６】
前記第二可撓軸と第三可撓軸との離間寸法が６０〜９０ｍｍである請求項２〜５のいずれかに記載の吸収性パッド。
【請求項７】
前記吸収性繊維構造体の厚み寸法が１０ｍｍ以下であり、かつ、前記横軸の方向における前記貫通条孔の幅寸法が５〜２５ｍｍである請求項５または６に記載の吸収性パッド。
【請求項８】
前記縦軸の方向における前記貫通条孔の長さ寸法が、前記縦軸の方向における前記吸収性繊維構造体の長さ寸法の１０〜６０％である請求項５〜７のいずれかに記載の吸収性パッド。
【請求項９】
前記縦軸の方向における前記条溝の長さ寸法が、前記縦軸の方向における前記吸収性繊維構造体の長さ寸法の１０〜５０％である請求項５〜８のいずれかに記載の吸収性パッド。
【請求項１０】
前記条溝が前記第二面から凹んでいる請求項５〜９のいずれかに記載の吸収性パッド。
【請求項１１】
前記条溝が前記第一および第二面の両面から凹んでおり、かつ、前記第一面から凹んでいる条溝の深さ寸法が前記第二面から凹んでいる条溝のそれと同じであるかそれよりも小さい請求項５〜１０のいずれかに記載の吸収性パッド。
【請求項１２】
前記吸収性繊維構造体が複層構造である請求項１〜１１のいずれかに記載の吸収性パッド。
【請求項１３】
前記第一面における前記貫通条孔の長さ寸法と前記第二面における前記貫通条孔のそれとが異なり、かつ、前記第一面における前記貫通条孔の幅寸法と前記第二面における前記貫通条孔のそれとが異なる請求項５〜１２のいずれかに記載の吸収性パッド。
【請求項１４】
前記第一面が透液性シートで形成されている請求項１〜１３のいずれかに記載の吸収性パッド。
【請求項１５】
前記第二面が疎水性を有する請求項１〜１４のいずれかに記載の吸収性パッド。
【請求項１６】
前記第二面が疎水性シートで形成されている請求項１〜１５のいずれかに記載の吸収性パッド。
【請求項１７】
前記吸収性繊維構造体が、前記第一面に位置する透液性シートと、前記第二面に位置する疎水性シートと、両シート間に介在する吸液性コアとからなる請求項１〜１６のいずれかに記載の吸収性パッド。
【発明の詳細な説明】
【技術分野】
【０００１】
この発明は、吸収性パッドに関し、さらに詳しくは、パッド着用者の身体に対するフィット性に優れた使い捨て吸収性パッドに関する。
【背景技術】
【０００２】
従来、この種の吸収性パッドは、周知であって、衣服側の面にパッドの長手方向に沿う凹状領域を設けたり（特許文献１参照）、両側縁近傍にパッドの上面から下面へ向かってくぼむ一対の凹部を設けたり（特許文献２参照）、肌当接面および非肌当接面に複数の溝を設けたり（特許文献３参照）することによって屈曲し易くした使い捨て吸収性パッドも、周知である。
【特許文献１】特開２００３−２１０５０７号公報
【特許文献２】特開２０００−１６６９６７号公報
【特許文献３】特開平１０−９９３７２号公報
【発明の開示】
【発明が解決しようとする課題】
【０００３】
しかしながら、特許文献１に開示された吸収性パッドは、凹状領域で着用者の身体側を頂点として容易に折れ曲がるが、折れ曲がった頂点以外の部分ではパッドが着用者の身体に密着せず、体液がその密着していない部分を伝わっていわゆる横洩れが生じることがある。また、特許文献２に開示された吸収性パッドは、一対の凹部で屈曲し、パッドの幅全体で逆Ｕ字形を描くように変形し易いが、着用時に体圧が加えられるとパッドがＵ字形に湾曲することがあり、必ずしも着用者の身体に密着しないという問題がある。さらにまた、特許文献３に開示された吸収性パッドは、溝で屈曲して複数の山型の隆起部を形成するが、隆起部間の谷部では着用者の身体に密着することができないという問題がある。
【０００４】
この発明は、上述のような課題に鑑みてなされたものであり、特に着用者の陰部に当接する部分におけるフィット性に優れた吸収性パッドを提供することを目的とする。
【課題を解決するための手段】
【０００５】
上記課題を解決するためのこの発明に係る吸収性パッドは、縦軸と、横軸と、体液を吸収する第一面と、第一面の反対側の第二面と、縦軸の方向に並ぶ前部域および後部域を有する吸収性繊維構造体からなり、前部域の可撓性が後部域のそれよりも高いことを特徴とする。
【０００６】
このように、前部域の可撓性が後部域のそれよりも高く構成されることによって、吸収性パッドは、前部域では容易に変形するが、後部域では前部域ほど変形しない。その結果、前部域では、着用者の身体にぴったりとフィットし、体液の漏れを効果的に防止することができる。一方、後部域では、ゆとりを残して着用者の身体を覆うから、便などの固形排泄物を着用者の身体に押し付けることなくそこに収容することができる。
【０００７】
前部域の可撓性を後部域のそれよりも高くするためには、前部域では、より可撓性の高い材料で吸収性パッドを構成し、後部域では、より可撓性の低い材料で吸収性パッドを構成してもよいし、また、前部域における吸収性パッドの密度を後部域におけるそれよりも高く構成してもよい。さらには、吸収性パッドにおいて、縦軸に沿って延びる第一可撓軸と、第一可撓軸から横軸の方向両側へ離間して縦軸の方向へ延びる一対の第二および第三可撓軸とが前部域に独占的に位置するように構成してもよい。第一，第二，第三可撓軸が吸収性パッドの前部域に独占的に位置している場合には、吸収性パッドは、第一可撓軸で折れ曲がることによって着用者の陰部にフィットし、さらに、一対の第二および第三可撓軸に沿って屈曲することによって着用者の鼠蹊部にフィットする。
【０００８】
上記一対の第二および第三可撓軸は、第一可撓軸とほぼ並行であればよいが、吸収性パッドが着用者の股間によりよくフィットするためには、上記一対の第二および第三可撓軸が、第一可撓軸に向かって凸となる弧を描くことが好ましい。
【０００９】
なお、第二可撓軸と第三可撓軸とは、縦軸に関して対称であってもよいし、非対称であってもよい。
【００１０】
ここで、上記第一可撓軸が貫通条孔であり、かつ、上記一対の第二および第三可撓軸が条溝であることが好ましい。
【００１１】
第一可撓軸が貫通条孔であると、吸収性繊維構造体の表面積が大きくなり、吸収性パッドの体液吸収能が向上する。また、貫通条孔に沿って吸収性パッドが屈曲すると、貫通条孔の縁が陰部の狭い隙間に入り込み、着用者の陰部に対するフィット性が向上する。一対の第二および第三可撓軸が条溝、すなわち、貫通していない溝であると、吸収性パッドは、一対の条溝で緩やかに屈曲し、一対の条溝に挟まれた部分が第一面側に盛り上がるように変形する。このように、第一可撓軸が貫通条孔であり、かつ、一対の第二および第三可撓軸が条溝であると、着用者の陰部およびに鼠蹊部に対する吸収性パッドのフィット性が向上する。
【００１２】
貫通条孔および一対の条溝の形状は、特に限定されるものではなく、矩形状または長円形状など任意の形状を採用することができる。対をなす条溝どうしは、形状および大きさが互いに異なっていてもよいし、同じであってもよい。貫通条孔および一対の条溝は、連続的に延びていてもよいし、断続的に延びていてもよい。
【００１３】
第二可撓軸と第三可撓軸との離間寸法は、着用者の股間幅に応じて適宜決定すればよいが、着用者の股間に対する吸収性パッドのフィット性を高めるためには、６０〜９０ｍｍであることが好ましい。
【００１４】
なお、一対の第二可撓軸および第三可撓軸が、第一可撓軸に向かって凸となる弧を描く場合における第二可撓軸と第三可撓軸との離間寸法は、第二可撓軸と第三可撓軸との最短距離である。
【００１５】
吸収性繊維構造体の厚み寸法は、十分な量の体液を吸収することができ、なおかつ、吸収性パッドが着用者の股間に挟まれたときに着用者が不快感を覚えない程度の厚さであればよいが、１０ｍｍ以下であることが好ましく、２．５ｍｍ〜１０ｍｍであることがより好ましい。横軸の方向における貫通条孔の幅寸法は、吸収性パッドの屈曲し易さを考慮しつつ、吸収性繊維構造体の厚さ寸法に応じて適宜決定すればよいが、５〜２５ｍｍであることが好ましく、８〜１５ｍｍであることがより好ましい。吸収性繊維構造体の厚み寸法および貫通条孔の幅寸法が上述の範囲内にあると、吸収性パッドが貫通条孔で屈曲しても、貫通条孔の縁どうしが接しにくく、吸収性パッドの屈曲部位が吸収性繊維構造体の存在しない状態に保たれる。その結果、着用者の陰部に当接する部分が湿潤状態になりにくく、着用者が不快感を覚えることを効果的に防止することができる。
【００１６】
縦軸の方向における貫通条孔の長さ寸法は、貫通条孔の位置が着用者の陰部の位置と一致し易いように、吸収性パッドの大きさに応じて適宜決定すればよいが、縦軸の方向における吸収性繊維構造体の長さ寸法の１０〜６０％であることが好ましく、２０〜４０％であることがより好ましい。
【００１７】
縦軸の方向における一対の条溝の長さ寸法は、一対の条溝の位置が着用者の鼠蹊部の位置と一致し易いように、吸収性パッドの大きさに応じて適宜決定すればよいが、縦軸の方向における吸収性パッドの長さ寸法の１０〜５０％であることが好ましい。上記範囲内であれば、一対の条溝の長さ寸法が互いに異なっていてもよいし、同じであってもよい。
【００１８】
一対の条溝は、第一面から凹んでいても、第二面から凹んでいてもよいが、吸収性パッドが第一面側に凸となるように変形し易くするためには、第二面から凹んでいるか、または、第一および第二面の両面から凹んでいるのがよい。
【００１９】
一対の条溝が、第一面および第二面の両面から凹んでいる場合には、吸収性パッドが第一面側に凸となるようにより変形し易くするために、第一面から凹んでいる一対の条溝の深さ寸法が第二面から凹んでいる一対の条溝のそれと同じであるかそれよりも小さいことが好ましい。
【００２０】
吸収性繊維構造体は、単層構造でも複層構造でもよいが、複層構造の場合は、上層および下層の二層構造が好適である。吸収性繊維構造体が上層および下層の二層構造のものであると、吸収性繊維構造体の第一面側と第二面側とで、吸収性繊維構造体の形状あるいは大きさや、貫通条孔および一対の条溝の形状あるいは大きさを異ならせることが容易になる。
【００２１】
第一面と第二面とで貫通条孔の長さ寸法および幅寸法が同じであってもよいが、第一面と第二面とで貫通条孔の長さ寸法および幅寸法が異なっていることが好ましい。第一面と第二面とで貫通条孔の長さ寸法および幅寸法が異なっていると、吸収性繊維構造体の上層および下層の積層工程で多少のずれが生じたとしても、吸収性パッドの第一面側からみた貫通条孔の大きさはほぼ一定に保たれる。第一面と第二面とで貫通条孔の長さ寸法および幅寸法をそれぞれ異ならせる場合、第一面における貫通条孔の長さ寸法および幅寸法が第二面におけるそれらよりも大きくてもよいし、またその逆であってもよいが、吸収性パッドが屈曲したときに着用者の陰部のより奥まった部分にフィットするためには、第一面における貫通条孔の長さ寸法が第二面における貫通条孔のそれより大きく、かつ、第一面における貫通条孔の幅寸法が第二面における貫通条孔のそれより大きいことが好ましい。
【００２２】
第一面は、透液性を有していることが好ましく、透液性シートで形成されることがより好ましい。第二面は、疎水性を有していることが好ましく、撥水剤で処理するか、疎水性シートで形成されることがより好ましい。それによって、吸収性パッドは、第一面では体液を吸収し、第二面では吸収した体液が漏れ出ることを防止する。
【００２３】
吸収性パッドは、体液を吸収する吸収性繊維構造体のみからなるものでもよいが、第一面が透液性を有し、第二面が疎水性を有する吸収性パッドを容易に構成するためには、第一面に位置する透液性シートと、第二面に位置する疎水性シートと、両シート間に介在する吸液性コアとからなることが好ましい。
【００２４】
ここで、透液性シート，疎水性シートおよび吸液性コアの形成材料としては、通常公知の材料を特に制限なく用いることができる。
【発明の効果】
【００２５】
この発明に係る吸収性パッドは、前部域では、容易に変形し、着用者の身体にフィットして体液漏れを防止することができると同時に、後部域では、密着せずに着用者の身体を覆って、便などの固形排泄物を着用者の身体に押し付けることなく収容することができる。
【００２６】
この発明のその他の構成、材料などについては、実施の形態における記述がここに援用される。ただし、この発明は、実施の形態に限定されるものではない。
【発明を実施するための最良の形態】
【００２７】
図面を参照して、この発明の実施形態について説明すると、以下のとおりである。
（第一実施形態）
【００２８】
図１は、この発明の第一実施形態に係る吸収性パッドを裏面側からみた部分破断平面図である。図２は、図１の２−２線断面図である。図３は、着用された状態にある吸収性パッドを示した図２相当断面図である
【００２９】
図１に示されているとおり、吸収性パッドは、吸収性繊維構造体１０を含む。吸収性繊維構造体１０は、縦軸１１と、それに直交する横軸１２と、体液を吸収する表面（第一面）１３と、その反対側の裏面（第二面）１４と、縦軸１１の方向に並ぶ前部域１５ａおよび後部域１５ｂとを有し、主に、表面１３を形成する透液性トップシート１３ａと、裏面１４を形成する疎水性バックシート１４ａと、両シート間に介在する吸液性コア１６とから構成される。
【００３０】
吸収性繊維構造体１０は、さらに、吸液性コア１６の横方向の両側縁近傍で縦方向に延びる一対のバリヤカフ１７を含む。バリヤカフ１７の縦方向の両端と横方向の外側の近位縁とがトップシート１３ａに接合されている（図２参照）。バリヤカフ１７の横方向の内側の遠位縁には、糸ゴムなどの弾性部材１８が取り付けられ、これによってバリヤカフ１７が起立性向を有する（図２参照）。
【００３１】
トップシート１３ａおよびバックシート１４ａは、吸液性コア１６の周縁から延出して互いに重なり合う部分で接合されている（図２参照）。
【００３２】
トップシート１３ａは、坪量がおよそ２０ｇ／ｍ２の公知の熱可塑性合成繊維不織布から形成されている。熱可塑性合成繊維としては、例えば、ポリオレフィン系，ポリエステル系，ポリアミド系などの合成樹脂から製造されているものが挙げられる。
【００３３】
バックシート１４ａは、坪量がおよそ２３ｇ／ｍ２の公知の液抵抗性熱可塑性プラスチックフィルムから形成されている。このフィルムの材料としては、例えばポリオレフィン系の合成樹脂が挙げられる。
【００３４】
吸液性コア１６は、フルッフパルプと、超吸水性ポリマー粒子と、場合によっては、熱可塑性合成繊維との混合物から形成されている。高吸水性ポリマー粒子の含有率はおよそ２０〜３０％である。図示されていないが、吸液性コア１６は、型崩れ防止などの目的から、ティシュペーパなどの液拡散性シートで包括するとともに、適宜圧縮することで構成されている。
【００３５】
バリヤカフ１７は、坪量がおよそ１５ｇ／ｍ２の公知の熱可塑性合成繊維複合不織布から形成されている。熱可塑性合成繊維としては、例えば、ポリオレフィン系，ポリエステル系，ポリアミド系などの合成樹脂から製造されているものが挙げられる。
【００３６】
縦軸の方向における吸液性コア１６の長さ寸法Ｌは、４２０ｍｍである。横軸の方向における吸液性コア１６の幅寸法Ｗは、１５０ｍｍである。吸液性コア１６の厚さ寸法Ｈは、６．５０ｍｍである。
【００３７】
吸収性パッドは、縦軸１１に沿って延びる貫通条孔（第一可撓軸）２１と、貫通条孔２１の横軸１２の方向両側へ離間して縦軸１２の方向に延びる一対の条溝（第二可撓軸，第三可撓軸）２２，２３とを備えており、これら貫通条孔２１と一対の条溝２２，２３とは、前部域１５ａに独占的に位置している。すなわち、本実施形態においては、貫通条孔２１および一対の条溝２２，２３を含む吸収性パッドのおよそ縦半分が前部域１５ａであり、残りが後部域１５ｂである。
【００３８】
図２に示されているように、貫通条孔２１においては、吸液性コア１６が実質的に存在していない。
【００３９】
縦軸１１の方向における貫通条孔２１の長さ寸法Ｌ１は、１３０ｍｍであって、縦軸１１の方向における吸液性コア１６の長さ寸法Ｌの３０％である。横軸の方向における貫通条孔２１の幅寸法Ｗ１は、１２ｍｍである。
【００４０】
トップシート１３ａおよびバックシート１４ａは、図２に示されているように、表面１３および裏面１４上で平坦に延びて貫通条孔２１を覆っていてもよいし、図示されていないが、吸液性コア１６の外形に沿って延びて貫通条孔２１の内側で互いに接合されていてもよい。
【００４１】
一対の条溝２２，２３は、貫通条孔２１とほぼ並行に縦軸１１の方向に連続して直線的に延びている。この一対の条溝２２，２３は、吸液性コア１６を貫通しておらず、裏面１４から凹んでいる。
【００４２】
一対の条溝の深さ寸法はＨ２，Ｈ３は、５．３５ｍｍである。縦軸１１の方向における一対の条溝２２，２３の長さ寸法Ｌ２，Ｌ３は、どちらも１３０ｍｍであって、縦軸１１の方向における吸液性コア１６の長さ寸法Ｌの３０％に相当する。条溝２２，２３どうしの離間寸法Ｐは、７５ｍｍである。
【００４３】
図３に示されているように、吸収性パッドは、貫通条孔２１および一対の条溝２２，２３に沿って屈曲して変形し易く、前部域１５ａの可撓性が、後部域１５ｂのそれよりも高い。
【００４４】
吸液性コア１６の厚さ寸法Ｈと貫通条孔２１の幅寸法Ｗ１とが前述の大きさであることによって、吸収性パッドが貫通条孔２１で屈曲しても、図３に示されているように、貫通条孔２１の縁どうしが接しずに、着用者の陰部に当接する部分が吸液性コア１６の存在しない状態に保たれる。このような吸収性パッドは、着用者の陰部に当接する部分が湿潤状態になりにくいから、着用者が不快感を覚えることがない。
【００４５】
吸収性パッドは、従来公知の技術により製造することができる。貫通条孔２１は、吸液性コア１６の成形過程で、所定のパターンを形成している金型を用い、フルッフパルプが堆積しない部分を設けることにより形成することができるが、成形後の吸液性コア１６を型抜きすることによって形成してもよい。一対の条溝２２，２３は、成形後の吸液性コア１６にエンボス処理を施すことにより形成することができるが、吸液性コア１６の成形過程で、所定のパターンを形成している金型を用い、他の部分よりも厚みの薄い部分を設けることによって形成してもよい。
【００４６】
吸収性パッドは、それ単独で使用されるよりむしろ使い捨てのおむつやおむつカバーあるいはその他の下着類とともに使用されるのが好適であり、着用者の身体に固定するための手段を必ずしも必要としない。
（第二実施形態）
【００４７】
図４は、この発明の第二実施形態に係る吸収性パッドの図２相当断面図である。この第二実施形態に係る吸収性パッドおいては、第一実施形態に係るそれと同じ主要な部材，部位にはそれぞれ１００を加えた数の符号を付して、その説明を省略してある。
【００４８】
第二実施形態に係る吸収性パッドが第一実施形態に係るそれと異なる点は、一対の条溝１２２，１２３が、表面１１３および裏面１１４の両面から凹んでいることである。表面１１４から凹んでいる一対の条溝１２２，１２３の深さ寸法Ｈ２ａ，Ｈ３ａは、どちらも１．９５ｍｍであり、裏面１１４から凹んでいる一対の条溝１２２，１２３の深さ寸法Ｈ２ｂ，Ｈ３ｂは、どちらも３．４０ｍｍである。
【００４９】
一対の条溝１２２，１２３が、表面１１３および裏面１１４の両面から凹んでおり、なおかつ、表面１１３から凹んでいる条溝１２２，１２３の深さ寸法Ｈ２ａ，Ｈ３ａが裏面１１４から凹んでいる条溝１２２，１２３の深さ寸法Ｈ２ｂ，Ｈ３ｂよりも小さく構成されていることによって、この吸収性パッドは、表面１１３側に凸となるように変形し易くなり、着用者の股間にフィットする。
（第三実施形態）
【００５０】
図５は、この発明の第三実施形態に係る吸収性パッドの図１相当部分破断平面図である。
【００５１】
この第三実施形態に係る吸収性パッドおいては、第一実施形態に係るそれと同じ主要な部材，部位にはそれぞれ２００を加えた数の符号を付して、その説明を省略してある。
【００５２】
第三実施形態に係る吸収性パッドが第一実施形態に係るそれと異なる点は、一対の条溝２２２，２２３が、縦軸２１１の方向に断続的に延びており、貫通条孔２２１に向かって凸となる弧を描いていることである。この場合、一対の条溝２２２，２２３の離間寸法Ｐは、条溝２２２，２２３どうしの最短距離であって、７５ｍｍである。
【００５３】
一対の条溝２２２，２２３が貫通条孔２２１に向かって凸となる弧を描いていることによって、この吸収性パッドは、着用者の股間によりよくフィットする。
（第四実施形態）
【００５４】
図６は、この発明の第四実施形態に係る吸収性パッドの図１相当部分破断平面図である。図７は、図６の７−７線断面図である。図８は、図６の８−８線断面図である。図９は、吸収性パッドの図７相当断面図である。
【００５５】
この第四実施形態に係る吸収性パッドおいては、第一実施形態に係る吸収性パッドと同じ主要な部材，部位にはそれぞれ３００を加えた数の同じ符号を付して、その説明を省略してある。
【００５６】
第四実施形態に係る吸収性パッドが第一実施形態に係るそれと異なる点は、以下のとおりである。
【００５７】
図７，８に示されているように、吸収性繊維構造体３１０は、複層構造であって、上層コア３１６ａおよび下層コア３１６ｂの二層からなる吸液性コア３１６を含む。上層コア３１６ａは、縦軸３１１の方向におけるほぼ中央においてくびれた瓢箪様の外形形状を有する。一方、下層コア３１６ｂは、ほぼ矩形の外形形状を有する。上層コア３１６ａと下層コア３１６ｂとの間には、ティシュペーパなどの液吸収拡散シート３２４が介在している。この液吸収拡散シート３２４の坪量はおよそ１５ｇ／ｍ２である。
【００５８】
上層コア３１６ａおよび下層コア３１６ｂには、それぞれ、横軸３１２の方向のほぼ中央で貫通している貫通条孔３２１ａ，３２１ｂと貫通していない一対の条溝３２２ａ，３２３ａ，３２２ｂ，３２３ｂとが形成されている。上層コア３１６ａと下層コア３１６ｂとは、互いの貫通条孔３２１ａ，３２１ｂの位置と互いの一対の条溝３２２ａ，３２３ａ，３２２ｂ，３２３ｂの位置とがそれぞれ一致するように積層されている（図７参照）。
【００５９】
上層コア３１６ａの厚み寸法Ｈａは、３．００ｍｍであり、下層コア３１６ｂの厚み寸法Ｈｂは、３．５０ｍｍである。上層コア３１６ａにおいて表面３１３から凹んでいる条溝３２２ａ，３２３ａの深さ寸法Ｈ２ａは、１．９５ｍｍであり、下層コア３１６ｂにおいて裏面３１４から凹んでいる条溝３２２ｂ，３２３ｂの深さ寸法Ｈ２ｂは、３．４０ｍｍである。上層コア３１６ａの表面３１３における貫通条孔３２１ａの幅寸法Ｗ１ａと下層コア３１６ｂの裏面３１４における貫通条孔３２１ｂの幅寸法Ｗ１ｂとが異なっており、幅寸法Ｗ１ａは１２ｍｍであり、幅寸法Ｗ１ｂは１０ｍｍである（図７参照）。上層コア３１６ａの表面３１３における貫通条孔３２１ａの長さ寸法Ｌ１ａと下層コア３１６ｂの裏面３１４における貫通条孔３２１ｂの長さ寸法Ｌ１ｂとが異なっており、長さ寸法Ｌ１ａは１３０ｍｍであり、長さ寸法Ｌ１ｂは１１０ｍｍである（図８参照）。
【００６０】
ＪＩＳ  Ｐ８１２５に準拠したテーパー法により測定した一対の条溝における吸収性パッドの剛軟度が、１０〜７０ｇ・ｃｍの範囲にあることが好ましい。上記剛軟度が１０ｇ・ｃｍより小さいと、吸収性パッドが山型に屈曲して変形しにくい。上記剛軟度が７０ｇ・ｃｍより大きいと、屈曲した吸収性パッドが着用者の股間に触れたときに、着用者が強い違和感を覚える虞がある。
【００６１】
図７に示されているように貫通条孔３２１ａ，３２１ｂの部分における吸液性コア３１６の断面形状は、階段状であるが（図８を併せて参照）、図９に示されているように、表面３１３から裏面３１４に向かって先細となる形状であってもよい。
【００６２】
吸液性コア３１６が、縦軸３１１の方向におけるほぼ中央においてくびれた瓢箪様の外形形状を有していることによって、この吸収性パッドの縦軸３１１の方向におけるほぼ中央部分が着用者の股間の最も幅狭の部分に当たり易くなる。その結果、吸収性パッドの屈曲の位置が着用者の股間の位置と一致し易くなる。
【００６３】
吸液性コア３１６が、上層コア３１６ａと下層コア３１６ｂとからなる二層構造であることによって、表面３１３側と裏面３１４側とで、貫通条孔３２１ａ，３２１ｂおよび条溝３２２ａ，３２３ａ，３２２ｂ，３２３ｂの長さ寸法，幅寸法および深さ寸法が異なる吸液性コア３１６を製造することが容易になる。
【００６４】
吸液性コア３１６が二層構造であって、なおかつ、表面３１３における貫通条孔３２１ａの大きさが裏面３１４における貫通条孔３２１ｂの大きさより大きいことによって、上層コア３１６ａおよび下層コア３１６ｂを積層する工程で多少のずれが生じたとしても、吸液性コア３１６の表面３１３側からみた貫通条孔の大きさがほぼ一定に保たれ、吸収性パッドが屈曲したときに着用者の陰部のより奥まった部分にフィットすることができる。また、貫通条孔３２１ａ，３２１ｂの部分における吸液性コア３１６の断面形状が階段先状あるいは先細形状であることによって、吸液性コア３１６の表面積が大きくなり、吸収性パッドの体液吸収能が向上する。
【００６５】
さらに、上層コア３１６ａと下層コア３１６ｂとの間に液吸収拡散シート３２４が介在していることによって、吸収された体液が液吸収拡散シート３２４に到達すると、体液が液吸収拡散シート３２４を伝って隅々にまで拡散し、吸液性コア３１６において局所的な体液の飽和が起こることを防止することができる。
【図面の簡単な説明】
【００６６】
【図１】この発明の第一実施形態に係る吸収性パッドを示す部分破断平面図である。
【図２】図１の２−２線断面図である。
【図３】着用された状態にある吸収性パッドの図２相当断面図である。
【図４】この発明の第二実施形態に係る吸収性パッドを示す図２相当断面図である。
【図５】この発明の第三実施形態に係る吸収性パッドを示す図１相当部分破断平面図である。
【図６】この発明の第四実施形態に係る吸収性パッドを示す図１相当部分破断平面図である。
【図７】図６の７−７線断面図である。
【図８】図６の８−８線断面図である。
【図９】吸収性パッドの図７相当断面図である。
【符号の説明】
【００６７】
１０，１１０，２１０，３１０              吸収性繊維構造体
１１，２１１，３１１                      縦軸
１２，２１２，２１２                      横軸
１３，１１３，２１３，３１３              表面（第一面）
１３ａ，１１３ａ，２１３ａ，３１３ａ      トップシート（透液性シート）
１４，１１４，２１４，３１４              裏面（第二面）
１４ａ，１１４ａ，２１４ａ，３１４ａ      バックシート（疎水性シート）
１５ａ，２１５ａ，３１５ａ                前部域
１５ｂ，２１５ｂ，３１５ｂ                後部域
１６，１１６，２１６，３１６              吸液性コア
２１，１２１，２２１，３２１ａ，３２１ｂ  貫通条孔（第一可撓軸）
２２，１２２，２２２，３２２ａ，３２２ｂ  条溝（第二可撓軸）
２３，１２３，２２３，３２３ａ，３２３ｂ  条溝（第三可撓軸）
【図１】
2006095156.tif 000003
【図２】
2006095156.tif 000004
【図３】
2006095156.tif 000005
【図４】
2006095156.tif 000006
【図５】
2006095156.tif 000007
【図６】
2006095156.tif 000008
【図７】
2006095156.tif 000009
【図８】
2006095156.tif 000010
【図９】
2006095156.tif 000011